(57)【要約】【課題】余長収容部内での光ファイバ心線の収容本数を多くすること無く、クロージャ内の限られたスペースで多数の光ファイバ心線を配線することが可能な光配線用トレイ及びそれを備えたクロージャを提供する。【解決手段】幹線系の光ケーブルと光ドロップケーブルの光ファイバ心線２４同士が接続された接続部を収容する光ケーブル接続用クロージャに用いられる成端トレイ３３であって、厚さ方向の二層に分けられた上層トレイ４１と下層トレイ５１を有し、上層トレイ４１と下層トレイ５１が、成端トレイ３３の幅方向の一方側で回動可能に連結され、光ファイバ心線２４の余長を収容する余長収容部４２，５２と、光ファイバ心線２４同士が接続されたコネクタＣを固定する複数の接続固定部４３，５３とが、上層トレイ４１及び下層トレイ５１にそれぞれ設けられ、複数の接続固定部４３，５３が、上層トレイ４１と下層トレイ５１を重ねた状態で共通する平面上に並列されて配置されている。【選択図】図４
2011070124.tif 000002
【特許請求の範囲】
【請求項１】
幹線系光ケーブルと光ドロップケーブルの光ファイバ心線同士が接続された接続部を収容する光ケーブル接続用クロージャに用いられる光配線用トレイであって、
厚さ方向の二層に分けられた上層トレイと下層トレイを有し、
前記上層トレイと前記下層トレイが、当該トレイの幅方向の一方側で回動可能に連結され、
前記光ファイバ心線の余長を収容する余長収容部と、前記光ファイバ心線同士が接続された接続部を固定する複数の接続固定部とが、前記上層トレイ及び前記下層トレイにそれぞれ設けられ、
前記複数の接続固定部が、前記上層トレイと前記下層トレイを重ねた状態で共通する平面上に並列されて配置されていることを特徴とする光配線用トレイ。
【請求項２】
請求項１に記載の光配線用トレイであって、
前記複数の接続固定部が、前記上層トレイと前記下層トレイで前記幅方向に分けて配置され、
前記幅方向の一方側に前記下層トレイの前記接続固定部が配置され、
前記幅方向の他方側に前記上層トレイの前記接続固定部が配置されていることを特徴とする光配線用トレイ。
【請求項３】
請求項１または２に記載の光配線用トレイであって、
前記上層トレイ及び前記下層トレイのそれぞれにおいて、
当該トレイの長手方向の中央に前記余長収容部が配置され、前記余長収容部に対して当該トレイの長手方向の両側に前記接続固定部が配置されており、
前記余長収容部内に設けられた心線ガイドが、前記接続固定部から延びた光ファイバ心線を前記余長収容部における前記長手方向の中央近傍まで略真直ぐに案内可能に形成されていることを特徴とする光配線用トレイ。
【請求項４】
請求項１から３の何れか一項に記載の光配線用トレイであって、
前記上層トレイ及び前記下層トレイのそれぞれにおいて、前記幹線系光ケーブルから前記余長収容部への光ファイバ心線の入口が、共に前記上層トレイと前記下層トレイの回動中心軸近傍に設けられていることを特徴とする光配線用トレイ。
【請求項５】
請求項１から４の何れか一項に記載の光配線用トレイであって、
前記余長収容部を覆う位置に、光ファイバ心線を保持可能な係止部を有する心線保留シートが取り付けられていることを特徴とする光配線用トレイ。
【請求項６】
請求項５に記載の光配線用トレイであって、
前記心線保留シートは回動可能に取り付けられ、
前記心線保留シートを回動させて前記余長収容部から持ち上げたときに、回動軸とは異なる位置に前記心線保留シートの一端を係止して自立させるシート係止部を有することを特徴とする光配線用トレイ。
【請求項７】
請求項１から６の何れか一項に記載の光配線用トレイが複数段に積層されて収容されていることを特徴とするクロージャ。
【発明の詳細な説明】
【技術分野】
【０００１】
本発明は、幹線系光ケーブルと光ドロップケーブルとの接続部分を収容する光配線用トレイ及びそれを備えたクロージャに関する。
【背景技術】
【０００２】
近年、光ケーブルを用いたネットワークとして、加入者宅まで光ファイバを直接引き込むＦＴＴＨ（Ｆｉｂｅｒ  Ｔｏ  Ｔｈｅ  Ｈｏｍｅ）という形態が採用されている。このＦＴＴＨでは、通信事業者のネットワークとして加入者宅近傍に配線された数心〜数十心程度の光ケーブルから、クロージャによって、例えば、１〜２心程度の必要本数の光ドロップケーブルに分岐し、ネットワークの加入者宅へ引き込む。
【０００３】
このようなＦＴＴＨに用いられるクロージャとしては、幹線用光ケーブル及び光ドロップケーブルの光ファイバ心線同士を接続する複数のコネクタを保持するコネクタ保持部と、光ファイバ心線の余長を収容する余長収容部とを有するトレイや、スプリッタ等の光モジュールを収容するスプリッタトレイ等が、内部に複数積層されて取り付けられたものが知られている（例えば、特許文献１参照）。
【先行技術文献】
【特許文献】
【０００４】
【特許文献１】特開２００７−１２１６０３号公報
【発明の概要】
【発明が解決しようとする課題】
【０００５】
ＦＴＴＨの促進により加入者宅まで光ファイバを引き込む要求が増え、クロージャから光ドロップケーブルが多数引き落とされて増設されている。
この場合、クロージャ内の一つのトレイに収容する光ファイバ心線の本数を増やすことが考えられる。しかし、一つのトレイに多数本の光ファイバ心線を収容すると、トレイの余長収容部内で光ファイバ心線同士が絡まりやすくなり、また、光ファイバ心線の判別も困難となる。
また、トレイの厚さを薄くしてトレイの積層枚数を増やすことにより、光ファイバ心線の収容可能本数を増やすことも考えられる。しかし、トレイに設けられるコネクタ保持部の厚さはコネクタの厚さより薄くできないので、トレイの厚さを薄くして積層枚数を増やすことも困難であった。
【０００６】
本発明の目的は、余長収容部内での光ファイバ心線の収容本数を多くすることなく、クロージャ内の限られたスペースで多数の光ファイバ心線を配線することが可能な光配線用トレイ及びそれを備えたクロージャを提供することにある。
【課題を解決するための手段】
【０００７】
上記課題を解決することのできる本発明の光配線用トレイは、幹線系光ケーブルと光ドロップケーブルの光ファイバ心線同士が接続された接続部を収容する光ケーブル接続用クロージャに用いられる光配線用トレイであって、
厚さ方向の二層に分けられた上層トレイと下層トレイを有し、
前記上層トレイと前記下層トレイが、当該トレイの幅方向の一方側で回動可能に連結され、
前記光ファイバ心線の余長を収容する余長収容部と、前記光ファイバ心線同士が接続された接続部を固定する複数の接続固定部とが、前記上層トレイ及び前記下層トレイにそれぞれ設けられ、
前記複数の接続固定部が、前記上層トレイと前記下層トレイを重ねた状態で共通する平面上に並列されて配置されていることを特徴とする。
【０００８】
本発明の光配線用トレイにおいて、前記複数の接続固定部が、前記上層トレイと前記下層トレイで前記幅方向に分けて配置され、
前記幅方向の一方側に前記下層トレイの前記接続固定部が配置され、
前記幅方向の他方側に前記上層トレイの前記接続固定部が配置されていることが好ましい。
【０００９】
本発明の光配線用トレイにおいて、前記上層トレイ及び前記下層トレイのそれぞれにおいて、
当該トレイの長手方向の中央に前記余長収容部が配置され、前記余長収容部に対して当該トレイの長手方向の両側に前記接続固定部が配置されており、
前記余長収容部内に設けられた心線ガイドが、前記接続固定部から延びた光ファイバ心線を前記余長収容部における前記長手方向の中央近傍まで略真直ぐに案内可能に形成されていることが好ましい。
【００１０】
本発明の光配線用トレイにおいて、前記上層トレイ及び前記下層トレイのそれぞれにおいて、前記幹線系光ケーブルから前記余長収容部への光ファイバ心線の入口が、共に前記上層トレイと前記下層トレイの回動中心軸近傍に設けられていることが好ましい。
【００１１】
本発明の光配線用トレイにおいて、前記余長収容部を覆う位置に、光ファイバ心線を保持可能な係止部を有する心線保留シートが取り付けられていることが好ましい。
【００１２】
本発明の光配線用トレイにおいて、前記心線保留シートは回動可能に取り付けられ、
前記心線保留シートを回動させて前記余長収容部から持ち上げたときに、回動軸とは異なる位置に前記心線保留シートの一端を係止して自立させるシート係止部を有することが好ましい。
【００１３】
また、本発明のクロージャは、上記本発明の何れかの光配線用トレイが複数段に積層されて収容されていることを特徴とする。
【発明の効果】
【００１４】
本発明の光配線用トレイによれば、厚さ寸法の小型化が困難な接続部を固定する接続固定部を、上層トレイと下層トレイとを重ねた状態で共通する平面上に並列させて配置させることにより、厚さの増加を抑えつつ余長収容部を二層構造とすることができる。これにより、余長収容部内での光ファイバ心線の収容本数を多くすること無く、クロージャ内の限られたスペースで多数の光ファイバ心線を配線することができる。
そして、本発明のクロージャによれば、ＦＴＴＨの促進により光ファイバを引き込む要求が増えたとしても、その要求に対して容易に光ファイバ心線の配線本数を増やして対応することができる。
【図面の簡単な説明】
【００１５】
【図１】本発明に係る光配線用トレイを備えたクロージャの一実施形態を示す図であって、（ａ）は一部を断面視した平面図、（ｂ）は縦断面図、（ｃ）は横断面図である。
【図２】図１のクロージャにおける成端トレイ及びスプリッタトレイの収容状態を説明する図であって、（ａ）及び（ｂ）はそれぞれ側面図である。
【図３】図１のクロージャに収容された成端トレイの構造を示す斜視図である。
【図４】図３の成端トレイの上層トレイと下層トレイとを開いた状態の斜視図である。
【図５】図３の成端トレイの構造を示す図であって、（ａ）は平面図、（ｂ）は正面図、（ｃ）は側面図である。
【図６】図３の成端トレイを構成する上層トレイを示す図であって、（ａ）は平面図、（ｂ）は正面図、（ｃ）は側面図である。
【図７】図３の成端トレイを構成する下層トレイを示す図であって、（ａ）は平面図、（ｂ）は正面図、（ｃ）は側面図である。
【図８】心線保留シートの支持構造を示す上層トレイの連結側における一部の平面図である。
【発明を実施するための形態】
【００１６】
以下、本発明に係る光配線用トレイ及びそれを備えたクロージャの実施形態の例を、図面を参照して説明する。
図１に示すように、光ケーブル接続用クロージャ１１は、前面及び後面が開口可能なケース本体１２を備え、その内部が光ケーブル収容空間１５とされている。
【００１７】
クロージャ１１の両端部には、ケーブル導出入部１６，１７が設けられており、このケーブル導出入部１６，１７で、幹線系の光ケーブル２１や各加入者宅へ引き込むためのドロップケーブル２２が導出入可能とされている。
このケーブル導出入部１６，１７には、導出入されるケーブルに密着するゴム材料で形成されたグロメットが取り付けられており、ケーブルを伝ってクロージャ１１の光ケーブル収容空間１５内に雨水等が浸入することが防止されている。
【００１８】
また、ケース本体１２とケーブル導出入部１６，１７との合わせ部には、適宜、パッキンが設けられるか、あるいはそれぞれの縁部が重なり合う構造とされることにより、高度な防水性や耐光性が確保されている。
ケーブル導出入部１７から光ケーブル収容空間１５内へ引き込まれた幹線系の光ケーブル２１は、ケーブルＴＭ把持具２３によって把持され、光ケーブル２１から引き落とされる光ファイバ心線２４は、コネクタ（図示省略）に接続されて成端盤１３に設置され、その後スプリッタトレイ３４及び成端トレイ３３を経由してドロップケーブル２２の光ファイバ心線２４に接続される。
【００１９】
クロージャ１１の光ケーブル収容空間１５内には、上下方向に配置されたトレイ固定ベース３１が設けられている。このトレイ固定ベース３１には、トレイ収納ケース３２が取り付けられており、このトレイ収納ケース３２には、複数の光配線用トレイである成端トレイ３３及びスプリッタトレイ３４が複数段に積層されて収容されている。成端トレイ３３には、光ファイバ心線２４の接続部及び余長部が収容され、スプリッタトレイ３４には、光信号を分岐する光スプリッタが収容されている。
【００２０】
図２（ａ）に示すように、トレイ収納ケース３２には、複数の隔壁３６によって区画された複数段のトレイ収納部３７が形成されており、成端トレイ３３及びスプリッタトレイ３４は、トレイ収納部３７にそれぞれ収納されている。
また、トレイ収納ケース３２は、クロージャ１１の開口側（図２における左側）へ引き出し可能に設けられたトレイ支持部３８を有している。成端トレイ３３及びスプリッタトレイ３４は、クロージャ１１の開口側と反対側の奥側の端部が、トレイ支持部３８に対して水平方向の軸線を中心として回動可能に支持されている。
【００２１】
このトレイ支持部３８をクロージャ１１の開口側へ引き出すと、図２（ｂ）に示すように、成端トレイ３３及びスプリッタトレイ３４がトレイ収納ケース３２のトレイ収納部３７から引き出される。この状態で、成端トレイ３３及びスプリッタトレイ３４は、トレイ支持部３８に対して回動させることが可能となる。
【００２２】
例えば、成端トレイ３３またはスプリッタトレイ３４で作業を行う場合、作業対象の成端トレイ３３またはスプリッタトレイ３４よりも下方側のトレイを下方へ回動させ、作業対象の成端トレイ３３またはスプリッタトレイ３４の上方側の成端トレイ３３またはスプリッタトレイ３４を上方へ回動させる。このようにすると、作業対象の成端トレイ３３またはスプリッタトレイ３４の上面側を広く開放させることができ、円滑な作業が可能となる。なお、最上段の成端トレイ３３で作業を行う場合は、全ての成端トレイ３３及びスプリッタトレイ３４を下方へ回動させて傾ける。
【００２３】
次に、本発明に係る光配線用トレイである成端トレイ３３の構造を説明する。
図３から図５に示すように、成端トレイ３３は、厚さ方向の二層に分けられた上層トレイ４１と下層トレイ５１とを有している。これらの上層トレイ４１と下層トレイ５１は、幅方向の一方側であるトレイ支持部３８との連結箇所側の連結部４９，５９で、互いに回動可能に連結されている。
【００２４】
図６に示すように、上層トレイ４１は、幹線系の光ケーブル２１から導入された光ファイバ心線２４の余長を収容する余長収容部４２と、光ファイバ心線２４とドロップケーブル２２側の光ファイバ心線２２ａとを接続するコネクタ（接続部）Ｃを収容して固定する複数の接続固定部４３とを有しており、余長収容部４２は、その厚さ寸法が、接続固定部４３の略半分とされている。
【００２５】
余長収容部４２には、上方へ突出した一対の心線ガイド４４を有しており、余長収容部４２では、心線ガイド４４の周囲が光ファイバ心線２４の収容路とされている。接続固定部４３は、上層トレイ４１の長手方向の両端側でそれぞれ幅方向に４つずつ配列されており、下層トレイ５１との連結側と反対側である幅方向の他方側に並設されている。
【００２６】
この上層トレイ４１では、接続固定部４３に収容され固定されたコネクタＣから延びる光ファイバ心線２４の余長部が、余長収容部４２における長手方向の中央近傍まで略真直ぐに案内されて心線ガイド４４同士の間を通され、心線ガイド４４の周囲に沿って配されて心線導入口５６へ至っている。
【００２７】
このように、上層トレイ４１では、コネクタＣから延びる光ファイバ心線２４の余長部が、余長収容部４２における長手方向の中央近傍まで略真直ぐに案内されているので、光ファイバ心線２４の許容曲げ半径以下の屈曲を防ぐことができ、屈曲による伝送損失をなくすことができる。
【００２８】
図７に示すように、下層トレイ５１は、光ファイバ心線２４の余長を収容する余長収容部５２と、光ファイバ心線２４とドロップケーブル２２側の光ファイバ心線２２ａとを接続するコネクタＣを収容して固定する複数の接続固定部５３とを有しており、余長収容部５２は、その厚さ寸法が、接続固定部５３の略半分とされている。
【００２９】
余長収容部５２には、上方へ突出した４つの心線ガイド５４を有しており、余長収容部５２では、心線ガイド５４の周囲が光ファイバ心線２４の収容路とされている。接続固定部５３は、下層トレイ５１の長手方向の両端側でそれぞれ幅方向に４つずつ配列されており、上層トレイ４１との連結側である幅方向の一方側に並設されている。
【００３０】
この下層トレイ５１では、接続固定部５３に収容され固定されたコネクタＣから延びる光ファイバ心線２４の余長部が、心線ガイド５４同士の間を通されて余長収容部５２における長手方向の中央近傍まで略真直ぐに案内され、さらに、心線ガイド５４同士の間を通され、心線ガイド５４の周囲に沿って配されて心線導入口５６へ至っている。
【００３１】
このように、下層トレイ５１の場合も、コネクタＣから延びる光ファイバ心線２４の余長部が、余長収容部５２における長手方向の中央近傍まで略真直ぐに案内されているので、光ファイバ心線２４の許容曲げ半径以下の屈曲を防ぐことができ、屈曲による伝送損失をなくすことができる。
また、下層トレイ５１では、上層トレイ４１の心線ガイド４４とは異なる形態で心線ガイド５４を４つにしたことにより、コネクタＣから延びる光ファイバ心線２４を許容曲げ半径以下に曲げずに無理なく余長収容部５２に配線できる。また、上層トレイ４１と重ね合わされた際の光ファイバ心線２４の挟み込みを防止することができる。
【００３２】
そして、上記構造の上層トレイ４１と下層トレイ５１とを有する成端トレイ３３では、上層トレイ４１と下層トレイ５１を重ね合わせると、上層トレイ４１及び下層トレイ５１のそれぞれの接続固定部４３，５３が、共通する平面上に並列されて配置される。また、この状態で、上層トレイ４１及び下層トレイ５１の余長収容部４２，５２が重ね合わされ、その厚さ寸法が、接続固定部４３，５３の厚さ寸法と略同一となる。つまり、成端トレイ３３は、上層トレイ４１と下層トレイ５１とを重ね合わせた状態で、その全体の厚さ寸法が接続固定部４３，５３の厚さ寸法となる。
【００３３】
また、上記成端トレイ３３では、下層トレイ５１に対して上層トレイ４１を上方へ回動させることにより、下層トレイ５１の上面側を広く開放させることができ、下層トレイ５１での配線作業を円滑に行うことができる。また、このとき、上層トレイ４１の接続固定部４３がクロージャ１１の開口側に配置されているので、作業者は、この上層トレイ４１の接続固定部４３を把持して持ち上げて、下層トレイ５１の上面側を容易に開放させることができる。
【００３４】
成端トレイ３３のトレイ支持部３８との連結箇所の反対側には、上層トレイ４１に形成された係合部４８と下層トレイ５１に形成された係合爪５８とが設けられている。そして、係合爪５８に係合部４８を係合させることにより、上層トレイ４１と下層トレイ５１とが係合され、上層トレイ４１と下層トレイ５１とが積層された状態に維持される。
【００３５】
また、下層トレイ５１の長手方向の両側には、心線導入口５６が形成されており、この心線導入口５６から、光ケーブル２１の光ファイバ心線２４が導入される。導入された光ファイバ心線２４は、上層トレイ４１及び下層トレイ５１のそれぞれの余長収容部４２，５２へ導かれている。
この心線導入口５６は、上層トレイ４１と下層トレイ５１との連結側である幅方向の一方側で、互いの回動中心軸（連結部４９，５９の回動軸）近傍に設けられている。これにより、上層トレイ４１と下層トレイ５１とを相対的に回動させたとしても、心線導入口５６からそれぞれの余長収容部４２，５２までの距離が変わらず、心線導入口５６から上層トレイ４１及び下層トレイ５１のそれぞれの余長収容部４２，５２へ導かれた光ファイバ心線２４を引っ張ったり弛ませたりすることが極力抑えられる。
【００３６】
また、図３及び図４に示すように、成端トレイ３３を構成する上層トレイ４１及び下層トレイ５１には、余長収容部４２，５２の上部を覆うように、それぞれ心線保留シート６１が設けられている。
心線保留シート６１は、薄いプラスチックシートにより形成されており、上層トレイ４１及び下層トレイ５１に対して、上層トレイ４１と下層トレイ５１との連結箇所側における一対の鍵爪状の支持部６２によって回動可能に支持されている。
心線保留シート６１には、光ファイバ心線２４を保持可能な複数の係止部６３が形成されており、初期配線時には接続に用いない光ファイバ心線２４を巻き回しながら係止部６３へ順番に係止させることにより、接続に用いない光ファイバ心線２４を保持しておくことができる。
【００３７】
図８に示すように、上層トレイ４１及び下層トレイ５１には、支持部６２の間に、壁面とリブによって形成されたシート係止部６４が設けられている。このシート係止部６４は、支持部６２による心線保留シート６１の回動軸に対してずらされた異なる位置に形成されており、このシート係止部６４は、上層トレイ４１及び下層トレイ５１の上面を開放する方向へ心線保留シート６１を回動させた状態で、心線保留シート６１の一端を変形させて係止可能とされている。心線保留シート６１をシート係止部６４へ係止させると、心線保留シート６１が支持箇所で湾曲されるとともに湾曲方向と直交する方向に真直化する。これにより心線保留シート６１を上層トレイ４１または下層トレイ５１に対して安定して自立させることができ、上層トレイ４１または下層トレイ５１の余長収容部４２，５２を開放状態に維持させることができる。
【００３８】
また、図３及び図４に示すように、上層トレイ４１の余長収容部４２の上部には、蓋板６５が設けられ、この蓋板６５によって上層トレイ４１の余長収容部４２が保護されている。この蓋板６５は、心線保留シート６１と同様に一対の鍵爪状の支持部６２で回動可能に支持されており、この蓋板６５を回動させることにより、上層トレイ４１の余長収容部４２が開閉されるようになっている。
【００３９】
本実施形態に係る光配線用トレイである成端トレイ３３によれば、厚さ寸法が決まっているコネクタＣを収納して固定する接続固定部４３，５３を、上層トレイ４１と下層トレイ５１とを重ねた状態で共通する平面上に並列させて配置させることにより、厚さの増加を抑えつつ余長収容部４２，５２を二層構造とすることができる。これにより、余長収容部４２．５２内での光ファイバ心線２４の収容本数を多くすることにより、光ファイバ心線２４同士の絡まりや判別の困難化を引き起こすようなこと無く、クロージャ１１内の限られたスペースで多数の光ファイバ心線２４を配線することができる。
そして、上記の成端トレイ３３を備えたクロージャ１１によれば、ＦＴＴＨの促進により光ファイバを引き込む要求が増えたとしても、その要求に対して容易に光ファイバ心線２４の配線本数を増やして対応することができる。
【符号の説明】
【００４０】
１１：クロージャ、２１：光ケーブル、２２：光ドロップケーブル、２４：光ファイバ心線、３３：成端トレイ（光配線用トレイ）、４１：上層トレイ、４２，５２：余長収容部、４３，５３：接続固定部、４４，５４：心線ガイド、５１：下層トレイ、６１：心線保留シート、６３：係止部、６４：シート係止部、Ｃ：コネクタ（接続部）
【図１】
2011070124.tif 000003
【図２】
2011070124.tif 000004
【図３】
2011070124.tif 000005
【図４】
2011070124.tif 000006
【図５】
2011070124.tif 000007
【図６】
2011070124.tif 000008
【図７】
2011070124.tif 000009
【図８】
2011070124.tif 000010